(57)【要約】【課題】複数のディスク規格に対応し、光源の出力を安定してモニターすることができる光ピックアップ装置及びこれに用いられる対物レンズ系を提供する。【解決手段】光ピックアップ装置５０は、赤色帯の第１の波長の光及び赤外帯の第２の波長の光を出射する光源１と、ＢＤ用の青紫帯の光を出射する光源１０と、コリメートレンズ４と、コリメートレンズ４から出射された光束の一部を透過させ、当該光束の他の一部の光路を折り曲げるミラー５及び７と、ミラー５及び７によって折り曲げられた光束を光ディスクの記録層上に集光する対物レンズ６及び８と、ミラー５及び７を透過した光束の強度を検出する受光素子１５とを備える。コリメートレンズ４は、光源１及び１０から出射された光の平行度を調整して、第１の波長の光を収束光として出射し、第２の波長の光を発散光として出射する。【選択図】図１
2010102822.tif 000002
【特許請求の範囲】
【請求項１】
記録層上に第１の厚みの保護層を有する第１の光記録媒体に対して、第１の波長の光を用いて情報の読み出し・書き込み・消去の少なくとも１つを行い、記録層上に第１の厚みより厚い第２の厚みの保護層を有する第２の光記録媒体に対して、第１の波長より長い第２の波長の光を用いて情報の読み出し・書き込み・消去の少なくとも１つを行う光ピックアップ装置であって、
前記第１の波長及び前記第２の波長の光を出射する第１の光源と、
前記光源から出射された光の平行度を調整して、前記第１の波長の光を収束光束として出射し、前記第２の波長の光を発散光束として出射する平行度調整素子と、
前記平行度調整素子から出射された光束の光路上に配置され、前記第１及び第２の波長の入射光束の一部の光路を折り曲げ、前記第１及び第２の波長の入射光束の他の一部を透過させる第１のミラーと、
前記第１のミラーによって折り曲げられた光束を集光して、前記第１または第２の光記録媒体の記録層上にスポットを形成する第１の対物レンズ系と、
前記第１のミラーを透過した光束の強度を検出する受光素子とを備える、光ピックアップ装置。
【請求項２】
前記第１の対物レンズ系に前記第１の波長の収束光束が入射した場合の球面収差が、前記第１の波長の平行光束が入射した場合の球面収差より小さく、
前記第１の対物レンズ系に前記第２の波長の発散光束が入射した場合の球面収差が、前記第２の波長の平行光束が入射した場合の球面収差より小さい、請求項１に記載の光ピックアップ装置。
【請求項３】
以下の条件を満足する、請求項１に記載の光ピックアップ装置：
Ｌ１＋Ｌ２≦０    ・・・（１）
Ｌ１／Ｌ２≦−１  ・・・（２）
ここで、
Ｌ１：第１の対物レンズ系の入射側面から第１の波長の光源の物点位置までの距離、
Ｌ２：第１の対物レンズ系の入射側面から第２の波長の光源の物点位置までの距離
である。
【請求項４】
前記第１の波長の平行光束が入射した場合に、前記第１の光記録媒体の記録面上における球面収差を最小にする保護層の厚みが、前記第１の光記録媒体の規格で定められた前記第１の厚みとは相違する、請求項１に記載の光ピックアップ装置。
【請求項５】
前記光ピックアップ装置は、更に、記録層上に前記第２の厚みより薄い第３の厚みの保護層を有する第３の光記録媒体に対して、前記第１の波長より短い第３の波長の光を用いて情報の読み出し・書き込み・消去の少なくとも１つを行うことができ、
前記第３の波長の光を前記平行度調整素子へと出射する第２の光源と、
前記平行度調整素子から出射された光束の光路上に配置され、前記第３の波長の入射光束の一部の光路を折り曲げ、前記第３の波長の入射光束の他の一部と、前記第１及び第２の波長の光束とを透過させる第２のミラーと、
前記第２のミラーによって折り曲げられた光束を集光して、前記第３の光記録媒体の記録層上にスポットを形成する第２の対物レンズ系とを備え、
前記受光素子は、前記第１及び第２のミラーを透過した第３の波長の光束の強度を更に検出する、請求項４に記載の光ピックアップ装置。
【請求項６】
記録層上に第１の厚みの保護層を有する第１の光記録媒体に対して、第１の波長の光を用いて情報の読み出し・書き込み・消去の少なくとも１つを行い、記録層上に第１の厚みより厚い第２の厚みの保護層を有する第２の光記録媒体に対して、第１の波長より長い第２の波長の光を用いて情報の読み出し・書き込み・消去の少なくとも１つを行う光ピックアップ装置に用いられる対物レンズ系であって、
前記第１の波長の収束光束が入射した場合の球面収差が、前記第１の波長の平行光束が入射した場合の球面収差より小さく、
前記第２の波長の発散光束が入射した場合の球面収差が、前記第２の波長の平行光束が入射した場合の球面収差より小さい、対物レンズ系。
【請求項７】
以下の条件を満足する、請求項６に記載の対物レンズ系：
Ｌ１＋Ｌ２≦０    ・・・（１）
Ｌ１／Ｌ２≦−１  ・・・（２）
ここで、
Ｌ１：対物レンズ系の入射側面から第１の波長の光源の物点位置までの距離、
Ｌ２：対物レンズ系の入射側面から第２の波長の光源の物点位置までの距離
である。
【請求項８】
前記第１の波長の平行光束が入射した場合に、前記第１の光記録媒体の記録面上における球面収差を最小にする保護層の厚みが、前記第１の光記録媒体の規格で定められた前記第１の厚みとは相違する、請求項６に記載の対物レンズ系。
【発明の詳細な説明】
【技術分野】
【０００１】
本発明は、光記憶媒体に情報の記録・再生・消去の少なくとも１つを行うための対物レンズ系及びこれを用いた光ピックアップ装置に関する。
【背景技術】
【０００２】
大量の情報を記録する媒体として光ディスクが広く普及している。最初に普及したのはコンパクトディスク（ＣＤ）であったが、その後、１枚の情報記憶媒体により多くの情報を保存するために記録密度の向上が図られ、デジタルヴァーサタイルディスク（ＤＶＤ）が開発された。更には、より高密度に情報を記録できるブルーレイディスク（登録商標、ＢＤ）も実用化されている。
【０００３】
光ディスクの高密度化を実現するためには、記録用のピットの大きさを小さくする必要がある。そのため、記録密度の向上に伴って、光ピックアップ装置に用いられる対物レンズの開口数は大口径化され、レーザ光の波長は短波長化してきた。また、光ディスクには、情報記録層を保護するために、光透過性の樹脂よりなる保護層が設けられる。この保護層の厚みは、光ディスクの規格毎に異なる。
【０００４】
光ディスクに情報を記録・再生する装置には、複数の規格に対応できることが望まれている。ＣＤとＤＶＤの互換技術は以前から実用化されているため、ＣＤ／ＤＶＤ互換光学系にＢＤ専用の光学系を組み合わせた構成が比較的容易に３つのディスク規格に対する互換性を確保するために採用されている。
【先行技術文献】
【特許文献】
【０００５】
【特許文献１】国際公開第２００７／０６９６１２号パンフレット
【発明の概要】
【発明が解決しようとする課題】
【０００６】
ノート型ＰＣ等に用いられる薄型の光ピックアップ装置を構成する場合、一部の光路を異なる波長の光で共有することが小型化を実現する上で有利である。具体的には、ＢＤ、ＤＶＤ、ＣＤのそれぞれに対応する光源からの射出光をプリズムなどで合成し、合成した光束を単一のコリメートレンズにより略平行光束とする。その後、ＤＶＤ／ＣＤ用のミラーまたはＢＤ用のミラーによって波長選択的に光路を曲げ、各規格に対応する対物レンズへと導く光学構成が採用される。
【０００７】
例えば、ＤＶＤの記録／再生の場合には、ＤＶＤ用の射出光はコリメートレンズを透過した後、立ち上げミラーによって光路を曲げられ対物レンズへと導かれる。このとき、一部の光束は立ち上げミラーを透過し、ミラーの後方に設置された受光素子（前光モニター）へと入射する。受光素子でモニターされる光強度は、光源の出力の制御に用いられる。
【０００８】
ここで、ＢＤ用光路をＤＶＤ／ＣＤ用光路と重ねることを考えると、前述の立ち上げミラーは、透過するＢＤ用光路上で収差を発生させないように、平板であることが好ましい。しかしながら、平板ミラーには厚みがあるため、入射した光束は単純に平板ミラーを透過するだけでなく、一部の入射光束は平板ミラーの内面で反射した後に平板ミラーから出射される。この場合、平板ミラーの内面を反射してきた光束と透過光束とが干渉するため、モニター用受光素子の出力が不安定になるという問題がある。
【０００９】
また、光ディスク記録／再生装置への光ディスクの挿入時に光ディスクの種類を判定する目的等で、各光源から波長の異なる光が同時に出射される場合がある。しかしながら、上記のように光路の一部を共通化した構成においては、同時に出射された複数の波長の光は合成されたままモニター用受光素子に入射するため、光強度の誤検出に繋がる。
【００１０】
それ故に、本発明は、このような従来構成の課題を解決し、複数のディスク規格に対応し、光源の出力を安定してモニターすることができる光ピックアップ装置及びこれに用いられる対物レンズ系を提供することを目的とする。
【課題を解決するための手段】
【００１１】
本発明に係る光ピックアップ装置は、記録層上に第１の厚みの保護層を有する第１の光記録媒体に対して、第１の波長の光を用いて情報の読み出し・書き込み・消去の少なくとも１つを行い、記録層上に第１の厚みより厚い第２の厚みの保護層を有する第２の光記録媒体に対して、第１の波長より長い第２の波長の光を用いて情報の読み出し・書き込み・消去の少なくとも１つを行う。当該光ピックアップ装置は、第１の波長及び第２の波長の光を出射する光源と、光源から出射された光の平行度を調整して、第１の波長の光を収束光束として出射し、第２の波長の光を発散光束として出射する平行度調整素子と、平行度調整素子から出射された光束の光路上に配置され、入射した光束の一部を透過させ、入射した光束の他の一部の光路を折り曲げるミラーと、ミラーによって折り曲げられた光束を集光して、第１または第２の光記録媒体の記録層上にスポットを形成する対物レンズ系と、ミラーを透過した光束の強度を検出する受光素子とを備える。
【００１２】
本発明に係る対物レンズ系は、記録層上に第１の厚みの保護層を有する第１の光記録媒体に対して、第１の波長の光を用いて情報の読み出し・書き込み・消去の少なくとも１つを行い、記録層上に第１の厚みより厚い第２の厚みの保護層を有する第２の光記録媒体に対して、第１の波長より長い第２の波長の光を用いて情報の読み出し・書き込み・消去の少なくとも１つを行う光ピックアップ装置に用いられる。当該対物レンズ系は、第１の波長の収束光束が入射した場合の球面収差が、第１の波長の平行光束が入射した場合の球面収差より小さく、第２の波長の発散光束が入射した場合の球面収差が、第２の波長の平行光束が入射した場合の球面収差より小さくなるように構成されている。
【発明の効果】
【００１３】
本発明によれば、対物レンズへと導く光を折り曲げるためのミラーを備えた光ピックアップ装置を構成する場合に、ミラーへと導く光を非平行とすることができるので、ミラー内部での反射に起因する干渉縞を制御し、ミラーの透過光に基づく光出力強度のモニタリングを安定して行うことができる。
【図面の簡単な説明】
【００１４】
【図１】本発明の実施形態に係る光ピックアップ装置の概略構成図
【図２Ａ】本発明の実施形態に係る対物レンズの光路図（ＤＶＤ使用時）
【図２Ｂ】本発明の実施形態に係る対物レンズの光路図（ＣＤ使用時）
【図３】数値実施例１に係る対物レンズの回折面が与える位相差（位相関数から求めた値）をプロットした図
【発明を実施するための形態】
【００１５】
図１は、本発明の実施形態に係る光ピックアップ装置の概略構成図である。
【００１６】
本実施形態に係る光ピックアップ装置５０は、ＢＤ３０、ＤＶＤ３１、ＣＤ３２の３つの光ディスクに対して互換性を有し、ＢＤ用の対物レンズ８と、ＤＶＤ／ＣＤ用の対物レンズ６とを用いて構成されている。具体的には、光ピックアップ装置５０は、第１の波長（ＤＶＤ用の赤色光）の光と第１の波長より長い第２の波長（ＣＤ用の赤外光）の光とを出射する光源１と、第１の波長より短い第３の波長（ＢＤ用の青紫光）を出射する光源１０と、ビームスプリッタ２及び１１と、１／４波長版３と、コリメートレンズ４と、波長選択性を有する平板状のミラー５及び７と、ＤＶＤ／ＣＤ用の対物レンズ６と、ＢＤ用の対物レンズ９と、対物レンズ６及び９を光ディスク表面と平行な方向及び直交する方向に駆動するアクチュエータ９と、集光レンズ１４と、第１〜第３の波長の光を検出可能な出力強度モニター用の受光素子１５とを備える。
【００１７】
図２Ａ及び２Ｂは、本発明の実施形態に係る対物レンズの光路図である。より詳細には、図２Ａは、ＤＶＤへの情報の記録・再生時における光路図であり、図２Ｂは、ＣＤへの情報の記録・再生時における光路図である。
【００１８】
本実施形態に係る対物レンズ６は、ＤＶＤ用の第１の波長（赤色帯）の光の使用時において、入射面６１に収束光束が入射した場合の球面収差が、同じ波長の平行光束が入射した場合の球面収差より小さくなるように設計されている。同時に、対物レンズ６は、ＣＤ用の第２の波長（赤外帯）の光の使用時において、入射面６１に発散光束が入射した場合の球面収差が、同じ波長の平行光束が入射した場合の球面収差より小さくなるように設計されている。
【００１９】
また、本実施形態に係る光ピックアップ装置及びこれに用いられる対物レンズ系は、以下の条件を満足する。
Ｌ１＋Ｌ２≦０    ・・・（１）
Ｌ１／Ｌ２≦−１  ・・・（２）
ここで、
Ｌ１：対物レンズ系の入射面から第１の波長の光源の物点位置までの物点距離、
Ｌ２：対物レンズ系の入射面から第２の波長の光源の物点位置までの物点距離
である。
【００２０】
尚、物点距離は、対物レンズ６の入射面６１に対して物点位置が光源側にある場合を正とし、光ディスク側にある場合を負とする。
【００２１】
ＣＤの記録層上に設けられる保護層６４の厚みは、ＤＶＤの記録層上に設けられる保護層６３の厚みより厚い。対物レンズ６は、ＤＶＤ用の第１の波長の光の使用時には、保護層６３を透過した位置にスポットを形成し、ＣＤ用の第２の波長の光の使用時には、保護層６４を透過した位置にスポットを形成する。このとき、保護層６３及び６４によって収差が発生するため、集光時の球面収差が良好に補正されるように、対物レンズの設計時には保護層の厚みが考慮される。上述のように、本実施形態に係る対物レンズ６は、非平行光が入射した場合に収差が良好に補正されるように設計されているので、ＤＶＤ用の赤色帯の波長の平行光束が入射した場合に、記録層上における３次球面収差を最小にする保護層の厚みは、ＤＶＤの規格で定められた０．６ｍｍからずれた値となる。
【００２２】
図１に戻って、まず、ＢＤ３０に対して情報の記録・再生・消去を行う場合、第３の波長（青紫帯）の光が光源１０から出射される。射出された直線偏光は、ビームスプリッタ１１で反射され、１／４波長板３により円偏光に変換された後、コリメートレンズ４に入射する。
【００２３】
コリメートレンズ４は、コリメートレンズホルダ４１に固定されており、ステッピングモーター４０により光軸方向に移動することが可能である。光ディスクの情報記録層上に設けられた保護層の厚みが規定の厚みと異なる場合には、コリメートレンズ４を光軸と平行な方向に移動させることにより、対物レンズ６及び８への入射光束の平行度を変化させる。これにより、対物レンズ８で球面収差を発生させ、光透過層の厚み誤差によって発生する球面収差を補正することができる。また、ＢＤ３０の媒体の種類として、単一の記録層のみを有するものと、中間層を介して複数の記録層が積層されるものとがある。ＢＤ３０が複数の記録層を有する場合、コリメートレンズ４を光軸と直交する方向に移動させることによって、各記録層に対応して合焦位置を調整したり、スポットの球面収差を補正することができる。
【００２４】
コリメートレンズ４から出射された光束は、波長選択性を有するミラー５を透過した後、ミラー７によって反射され、対物レンズ８によってＢＤ３０の情報記録層上に集光される。情報記録層で反射された光束は、再び対物レンズ８を透過し、反射ミラー７で反射された後、コリメートレンズ４を透過する。コリメートレンズ４を透過した光束は、１／４波長板によって往路とは異なる直線偏光に変換された後、ビームスプリッタ２及び１１を透過して、検出レンズ１２によって光検出器１３上に集光される。光検出器１３は、入射した光を光電変換して、信号出力を生成する。
【００２５】
次に、ＤＶＤ３１に対して情報の記録・再生・消去を行う場合、２波長半導体レーザ素子等からなる光源１から第１の波長（赤色帯）の光が出射される。射出された直線偏光は、ビームスプリッタ１１で反射され、１／４波長板３により円偏光に変換された後、コリメートレンズ４に入射する。第１の波長の光の使用時には、コリメートレンズ４はステッピングモーター４０によって入射光を平行にする位置よりも光源１から離れる方向に移動し、コリメートレンズ４からは平行光束よりも僅かに収束した光束が出射される。コリメートレンズ４から出射された収束光束は、波長選択性のあるミラー５によって反射され、対物レンズ６によってＤＶＤ３１の情報記録層上に集光される。本実施形態に係る対物レンズ６は、赤色帯の第１の波長の収束光束が入射した場合の球面収差が、同じ波長の平行光束が入射した場合の球面収差より小さくなるように設計されている。
【００２６】
情報記録層で反射された光束は、再び対物レンズ６を透過し、反射ミラー５で反射された後、コリメートレンズ４を透過する。コリメートレンズ４を透過した光束は、１／４波長板によって往路とは異なる直線偏光に変換された後、ビームスプリッタ２及び１１を透過して、検出レンズ１２によって光検出器１３上に集光される。光検出器１３は、入射した光を光電変換して、信号出力を生成する。
【００２７】
次に、ＣＤ３２に対して情報の記録・再生・消去を行う場合、光源１から第２の波長（赤外帯）の光が出射される。射出された直線偏光は、ビームスプリッタ１１で反射され、１／４波長板３により円偏光に変換された後、コリメートレンズ４に入射する。第２の波長の光の使用時には、コリメートレンズ４はステッピングモーター４０によって入射光を平行にする位置よりも光源１に近い方向に移動し、コリメートレンズ４からは平行光束よりも僅かに発散した光束が出射される。コリメートレンズ４から出射された発散光束は、波長選択性のあるミラー５によって反射され、対物レンズ６によってＣＤ３２の情報記録層上に集光される。本実施形態に係る対物レンズ６は、赤外帯の第２の波長の発散光束が入射した場合の球面収差が、同じ波長の平行光束が入射した場合の球面収差より小さくなるように設計されている。
【００２８】
情報記録層で反射された光束は、再び対物レンズ６を透過し、反射ミラー５で反射された後、コリメートレンズ４を透過する。コリメートレンズ４を透過した光束は、１／４波長板によって往路とは異なる直線偏光に変換された後、ビームスプリッタ２及び１１を透過して、検出レンズ１２によって光検出器１３上に集光される。光検出器１３は、入射した光を光電変換して、信号出力を生成する。
【００２９】
ここで、光源１及び１０から出射された光は、ミラー５または７によって反射されて、光ディスクに対する情報の記録・再生・消去に用いられるが、一部の光はミラー５及び７を透過して集光レンズ１４によって出力強度モニター用の受光素子１５上に集光される。受光素子１５は入射した光を光電変換し、図示していない制御回路によって光源１及び１０の光強度を調節するための信号出力を生成する。
【００３０】
上記の光学構成を有する光ピックアップ装置において、第１及び第２の波長の光の使用時に、コリメートレンズ４から平行光束が出射されるようにコリメートレンズ４の光軸に沿った方向の位置を調整することは可能である。ただしこの場合、平板状のミラー５及び７内で多重反射した光と、多重反射なしで透過した光とが干渉し、受光素子１５の受光面上で干渉縞を形成してしまう。この干渉縞によってモニター出力が不安定となり、光源１及び１０の強度制御が著しく困難となる。
【００３１】
本実施形態に係る光ピックアップ装置５０では、コリメートレンズ４の光軸方向の位置を調整することで、ＣＤ用の第１の波長の光の使用時には、コリメートレンズ４から発散光束が出射され、ＤＶＤ用の第２の波長の光の使用時には、コリメートレンズ４から収束光束が出射される。また、ＢＤ用の第３の波長の光の使用時には、コリメートレンズ４の光軸方向に移動させ、記録層深さや保護層厚みに応じて光束の平行度が調整される。このようにミラー５及び７に入射する光の平行度を調整することによって、多重反射して受光素子１５に入射する光と、多重反射なしで受光素子１５に入射する光との光路差を変更することがでるので、干渉縞を受光素子１５の受光面に対して十分に細かくすることができる。これにより、安定して光源出力を制御することが可能となる。
【００３２】
また、本実施形態に係る光ピックアップ装置５０では、コリメートレンズ４が光源１から出射された第１の波長の光を収束光束とし、第２の波長の光のを発散光束とするので、コリメートレンズ４からの出射光束の平行度は、第１〜第３の波長のそれぞれで異なる。したがって、光ディスクの挿入時における種類の判定等の目的で、波長の異なる光が同時に出射された場合でも、コリメートレンズ４からミラー５への光束の入射角度を波長毎異ならせることによって、受光素子１５の受光面上での各波長の集光位置をずらすことが可能となる。したがって、このように複数の光源が同時に発光した場合でも、波長毎に光強度を適切に判定し制御することができる。
【００３３】
尚、本実施形態では、ＤＶＤ／ＣＤ用の対物レンズ６と、ＢＤ用の対物レンズ８とを備えた光ピックアップ装置５０を説明したが、本発明は、ＤＶＤ／ＣＤ互換の対物レンズのみを備えた光ピックアップ装置や、ＢＤ／ＤＶＤ互換の対物レンズのみを備えた光ピックアップ装置、ＢＤ／ＣＤ互換を備えた光ピックアップ装置にも適用できる。この場合も同様に、ミラーに入射するＤＶＤ用の波長の光及びＣＤ用の波長の光を発散または収束させることで、本実施形態に係る光ピックアップ装置と同様の技術的効果を得ることができる。
【００３４】
また、本実施形態では、ミラー５に入射する光束を発散または収束させるためにコリメートレンズ４を用いているが、この例に限定されない。例えば、ミラー５への入射光束の平行度を調整する平行度調整素子として、ビームエキスパンダーや、表面に階段状段差または鋸歯状段差よりなる回折構造を設けた収差補正素子用い、平行度調整素子を構成する少なくとも１枚の素子を光軸と直交する方向に移動させても良い。
【００３５】
更に、本実施形態において、対物レンズ系を構成する素子の数や光束の平行度を調整する光学系を構成する素子の数は任意である。
【実施例】
【００３６】
以下、本発明に係る対物レンズ系の具体的な数値実施例を説明する。各数値実施例において、非球面形状は次の数１によって表される。
【数１】
2010102822.tif 000003
ただし、
Ｘ：光軸からの高さがｈの非球面上の点の非球面頂点の接平面からの距離、
ｈ：光軸からの高さ、
Ｒ：非球面頂点における曲率半径、
Ｋ：円錐定数、
Ａｎ：ｎ次の非球面係数
である。
【００３７】
また、回折面は次の数２によって表される。
【数２】
2010102822.tif 000004
ただし、
Ｐ：回折面による位相差、
ｈ：光軸からの高さ、
Ｄｎ：ｎ次の位相関数係数
Ｍ：回折次数、
である．
【００３８】
（数値実施例１）
数値実施例１に係る対物レンズ系の第１面（入射側面）には、光軸からの高さが１．０３７以下の内周部と、光軸からの高さが１．０３７を超える外周部とで異なる非球面形状が形成されている。この面には、位相関数に則り、略鋸歯形状の回折輪帯が形成されている。数値実施例１に係る対物レンズの回折面が与える位相差（位相関数から求めた値）をプロットした図を図３に示す。
【００３９】
表１に、数値実施例１に係る対物レンズ系の仕様を示す。
【表１】
2010102822.tif 000005
【００４０】
表２に、数値実施例２に係る対物レンズ系の非球面係数及び位相関数係数を示す。尚、回折次数は１次である。
【表２】
2010102822.tif 000006
【００４１】
（数値実施例２）
数値実施例１に係る対物レンズ系の第１面（入射側面）には、光軸からの高さが１．０３７以下の内周部と、光軸からの高さが１．０３７を超える外周部とで異なる非球面形状が形成されている。第２面にも、光軸からの高さが０．８４２以下の内周部と、光軸からの高さが０．８４２を超える外周部とで異なる非球面形状が形成されている。
【００４２】
表３に、数値実施例２に係る対物レンズ系の仕様を示す。
【表３】
2010102822.tif 000007
【００４３】
表４に、数値実施例２に係る対物レンズ系の非球面係数及び位相関数係数を示す。尚、回折次数は１次である。
【表４】
2010102822.tif 000008
【００４４】
（数値実施例３）
数値実施例１に係る対物レンズ系の第１面（入射側面）には、光軸からの高さが１．０５以下の内周部と、光軸からの高さが１．０５を超える外周部とで異なる非球面形状が形成されている。
【００４５】
表５に、数値実施例３に係る対物レンズ系の仕様を示す。
【表５】
2010102822.tif 000009
【００４６】
表６に、数値実施例３に係る対物レンズ系の非球面係数及び位相関数係数を示す。尚、回折次数は１次である。
【表６】
2010102822.tif 000010
【００４７】
（数値実施例４）
【００４８】
数値実施例１に係る対物レンズ系の第１面（入射側面）には、光軸からの高さが１．０３７以下の内周部と、光軸からの高さが１．０３７を超える外周部とで異なる非球面形状が形成されている。第２面にも、光軸からの高さが０．８４２以下の内周部と、光軸からの高さが０．８４２を超える外周部とで異なる非球面形状が形成されている。
【００４９】
表７に、数値実施例４に係る対物レンズ系の仕様を示す。
【表７】
2010102822.tif 000011
【００５０】
表８に、数値実施例４に係る対物レンズ系の非球面係数及び位相関数係数を示す。尚、回折次数は１次である。
【表８】
2010102822.tif 000012
【産業上の利用可能性】
【００５１】
本発明は、光ディスクに対して情報の記録・再生・消去の少なくとも１つを行うための光ピックアップ装置等に利用できる。
【符号の説明】
【００５２】
１  光源
４  コリメートレンズ
５  ミラー
６  対物レンズ
７  ミラー
８  対物レンズ
１０  光源
１５  受光素子
３０  ＢＤ
３１  ＤＶＤ
３２  ＣＤ
５０  光ピックアップ装置
【図１】
2010102822.tif 000013
【図２Ａ】
2010102822.tif 000014
【図２Ｂ】
2010102822.tif 000015
【図３】
2010102822.tif 000016